(57)【要約】      （修正有）【課題】平地に置いて横に並べて堅固連結形態とすることができる棚式プランター用支柱を提供する。【解決手段】同間隔で横並び配置された棚式プランター用支柱２、２、２と、この棚式プランター用支柱２、２、２に段棚を形成するように嵌め込まれた５枚の仕切り板３と、棚式プランター用支柱２、２、２の背部側に設けられたメッシュプレートからなる背面プレート４と、棚式プランター用支柱２、２、２の最下部の仕切り板３の直下に設けられた底部プレート５と、棚式プランター用支柱２、２、２を所定の間隔に止め固定するための２本のねじ棒６、６と、１本のねじ棒６に螺合された６個のナット７とからなっている。【選択図】図１
2011097906.tif 000002
【特許請求の範囲】
【請求項１】
支柱本体と、
この支柱本体の前部に設けられた、棚を形成する仕切部材を嵌め込むための前面および両側面が開口してなる複数段の部材嵌め込み溝と、
前記支柱本体の下部に設けられた、該支柱本体を安定的に立て置くための足部と、
この足部の側面に貫通孔形態で設けられた、棒部材を通すための棒部材通し部とからなることを特徴とする棚式プランター用支柱。
【請求項２】
支柱本体、この支柱本体の前部に設けられた、棚を形成する仕切部材を嵌め込むための前面および両側面が開口してなる複数段の部材嵌め込み溝、前記支柱本体の下部に設けられた、該支柱本体を安定的に立て置くための足部、前記支柱本体の背面側に設けられた、複数のねじ穴あるいはねじ通し孔とからなる棚式プランター用支柱と、
前記棚式プランター用支柱を３数本以上並べた状態で、その背面側に当てられ前記ねじ孔に螺合されるボルトあるいは前記ねじ通し孔に通されるボルトによって前記複数本の前記棚式プランター用支柱の前記背面側に固定されるとともに、該複数本の該棚式プランター用支柱を連結固定してするメッシュプレート、パンチプレートあるいは板材からなる背面連結プレート体とからなることを特徴とする棚式プランター。
【発明の詳細な説明】
【技術分野】
【０００１】
本発明は、棚式プランター用支柱および棚式プランターに関する。
【背景技術】
【０００２】
従来の緑化棚ユニットとして、平板形態の植生部材支持板（土留板３）と、この植生部材支持板（土留板３）の複数枚を間隔をあけて傾斜させて支持する一対の支柱（板架け部材２、２）と、この支柱（板架け部材２）の支柱本体の前方を開口させて縦溝形態に設けられた角杭体（杭体１）が嵌る嵌合溝（嵌合溝２０）と、前記支柱本体の左右側部に前部側から下に向けた傾斜凹形態で縦並びに間隔をあけて複数形成された、前記植生部材支持板（土留板３）を嵌めて且つ該植生部材支持板（土留板３）を傾斜状態で支持する支持板傾斜支持部（傾斜溝２２）と、前記一対の支柱（板架け部材２、２）の前記支持板傾斜支持部（傾斜溝２２）に前記植生部材支持板（土留板３）を架渡し支持して形成した複数の植生支持棚とからなり、背土壁面や擁壁面などの壁面の前に該壁面から少し離して一対の杭体１を地面に立設し、この杭体１を嵌合溝（嵌合溝２０）に嵌めて嵌らして（板架け部材２）を立て支持状態にして、支持板傾斜支持部（傾斜溝２２）に植生部材支持板（土留板３）を嵌め込んで緑化棚ユニット（組立柵工）を形成する技術が知られている。（例えば特許文献１）
【先行技術文献】
【特許文献】
【０００３】
【特許文献１】特開２００１−３４２６３２号公報
【非特許文献】
【０００４】
【非特許文献１】特になし
【発明の概要】
【発明が解決しようとする課題】
【０００５】
上述した従来技術は背土や擁壁などの壁面に緑化棚を形成することはできるが、平地に置いて横に並べて堅固連結形態とすることができないものであった。
また、背面側から水を与えることができないものであった。
また、一対の支柱は背部壁面にボルトなどにより固定する形態であったので、平地に置いた状態では使用できないものであった。
【０００６】
本発明は以上のような従来技術の欠点に鑑み、平地に置いて横に並べて堅固連結形態とすることができる棚式プランター用支柱を提供することを目的としている。
また、背面側から水を与えることができるとともに、複数の棚式プランター用支柱を連結固定してプランターを形成することができる棚式プランターを提供することを目的としている。
【課題を解決するための手段】
【０００７】
上記目的を達成するために、本発明は次のような構成している。
＜請求項１記載の発明＞
支柱本体と、
この支柱本体の前部に設けられた、棚を形成する仕切部材を嵌め込むための前面および両側面が開口してなる複数段の部材嵌め込み溝と、
前記支柱本体の下部に設けられた、該支柱本体を安定的に立て置くための足部と、
この足部の側面に貫通孔形態で設けられた、棒部材を通すための棒部材通し部とからなることを特徴とする棚式プランター用支柱である。
＜請求項２記載の発明＞
支柱本体、この支柱本体の前部に設けられた、棚を形成する仕切部材を嵌め込むための前面および両側面が開口してなる複数段の部材嵌め込み溝、前記支柱本体の下部に設けられた、該支柱本体を安定的に立て置くための足部、前記支柱本体の背面側に設けられた、複数のねじ穴あるいはねじ通し孔とからなる棚式プランター用支柱と、
前記棚式プランター用支柱を３数本以上並べた状態で、その背面側に当てられ前記ねじ孔に螺合されるボルトあるいは前記ねじ通し孔に通されるボルトによって前記複数本の前記棚式プランター用支柱の前記背面側に固定されるとともに、該複数本の該棚式プランター用支柱を連結固定してするメッシュプレート、パンチプレートあるいは板材からなる背面連結プレート体とからなることを特徴とする棚式プランターである。
【発明の効果】
【０００８】
以上の説明から明らかなように、本発明にあっては次に列挙する効果が得られる。
＜請求項１記載の発明の効果＞
支柱本体と、この支柱本体の前部に設けられた、棚を形成する仕切部材を嵌め込むための前面および両側面が開口してなる複数段の部材嵌め込み溝と、前記支柱本体の下部に設けられた、該支柱本体を安定的に立て置くための足部と、この足部の側面に貫通孔形態で設けられた、棒部材を通すための棒部材通し部とからなることを特徴とする棚式プランター用支柱であるので、次のような効果を奏する。
すなわち、棒部材通し部に棒部材を通し、この棒部材を通すときにねじ付カラーに該棒部材を通しておいて、該ねじ付カラーを棚式プランター用支柱に着けた状態で固定することによって、複数の棚式プランター用支柱を連結して棚式プランターを形成することができる、あるいは、複数（例えば３本）の棚式プランター用支柱を連結して形成した棚式プランターを複数並べ、棒部材通し部に棒部材を通し、この棒部材を通すときにねじ付カラーに該棒部材を通しておいて、該ねじ付カラーを棚式プランター用支柱に着けた状態で固定することによって、複数の棚式プランター連結した状態にできるという効果を奏する。
＜請求項２記載の発明の効果＞
支柱本体、この支柱本体の前部に設けられた、棚を形成する仕切部材を嵌め込むための前面および両側面が開口してなる複数段の部材嵌め込み溝、前記支柱本体の下部に設けられた、該支柱本体を安定的に立て置くための足部、前記支柱本体の背面側に設けられた、複数のねじ穴あるいはねじ通し孔とからなる棚式プランター用支柱と、前記棚式プランター用支柱を３数本以上並べた状態で、その背面側に当てられ前記ねじ孔に螺合されるボルトあるいは前記ねじ通し孔に通されるボルトによって前記複数本の前記棚式プランター用支柱の前記背面側に固定されるとともに、該複数本の該棚式プランター用支柱を連結固定してするメッシュプレート、パンチプレートあるいは板材からなる背面連結プレート体とからなることを特徴とする棚式プランターであるので、次のような効果を奏する。
すなわち、背面連結プレート体によって、３本以上の棚式プランター用支柱を連結固定して棚式プランター形成する構成であるので、組み立てが行いやすく連結コストが安価にできるとう効果を奏するとともに、背面連結プレート体をメッシュプレート、パンチプレートにしたものは、背面から水を散布できるという効果を奏する。
【図面の簡単な説明】
【０００９】
【図１】本発明の実施例１の棚式プランターの組み立て斜視図。
【図２】本発明の実施例１の棚式プランター用支柱の右側面図。
【図３】本発明の実施例１の棚式プランター用支柱の正面図。
【図４】本発明の実施例１の棚式プランター用支柱のＡ−Ａ線切断拡大端面図。
【図５】本発明の実施例２の棚式プランターの組み立て右側面図（ａ）および棚式プランター用支柱の正面図。
【図６】本発明の実施例２の棚式プランターの組み立て背面図。
【発明を実施するための形態】
【００１０】
以下、図面に示す本発明の実施例を説明する。但し、本発明は実施例に限定されるものではない。
【実施例１】
【００１１】
図１ないし図４に示す本発明の実施例において１は棚式プランターであって、この棚式プランター１は同間隔で横並び配置された棚式プランター用支柱２、２、２と、この棚式プランター用支柱２、２、２に段棚を形成するように嵌め込まれた５枚の仕切り板３と、棚式プランター用支柱２、２、２の背部側に設けられたメッシュプレートからなる背面プレート４と、棚式プランター用支柱２、２、２の最下部の仕切り板３の直下に設けられた底部プレート５と、棚式プランター用支柱２、２、２を所定の間隔に止め固定するための２本のねじ棒６、６と、１本のねじ棒６に螺合された６個のナット７とからなっている。
【００１２】
棚式プランター用支柱２は、後方に傾斜形態の支柱本体１０と、この支柱本体１０の前部に設けられた、５段の棚を形成する仕切部材３を斜めに嵌め込むための前面および両側面が開口してなる斜め溝形態の部材嵌め込み溝１１ａ〜１１ｅと、支柱本体１０の下部に設けられた（形成された）、支柱本体１０を安定的に立て置くための足部１２と、この足部１２の側面に貫通孔形態で設けられた、棒部材１３を通すための棒部材通し部１４ａ〜１４ｃと、部材嵌め込み溝１１ｅの根本下部位直ぐ下に設けられた底部プレート５を挿入支持するための底プレート差込孔１５と、支柱本体１０の後部中途に設けられた背面プレート４を挿入支持するための背面プレート差込孔１６と、支柱本体１０の部材嵌め込み溝１１ｂと１１ｅの根本上方に設けられたねじ棒６を通すためのねじ棒通し孔１７ａ、１７ｂとからなっていて、縦プレート部位１８の全周を囲うように左右にリブ１９ａが形成され、棒部材通し部１４ａ〜１４ｃ、底プレート差込孔１５および背面プレート差込孔１６の周囲も突出したリブ１９ｂ〜１９ｆが設けられ、足部１２の上部と支柱本体１０の背面を補強するリブ１９ｇが設けられ、部材嵌め込み溝１１ａ〜１１ｅの間に該部材嵌め込み溝１１ａ〜１１ｅの上下および間にリブ１９ｈ〜１９ｍが設けれ、そのた強度を得るためのリブが設けられ、以上の全ての構成部位が合成樹脂部材の一部材の一体成形により成型されている。
【００１３】
次に、本発明を異なる実施例について説明する。なお、これら本発明異なる実施例の説明に当たって、前述した実施例と同一構成部分には同一符号を付して重複する説明を省略する。
【実施例２】
【００１４】
図５、図６に示す本発明の実施例２において前記実施例１と主に異なる点は、棚式プランター用支柱を垂直な棚式プランター用支柱２０とし、底プレート差込孔１５と背面プレート差込孔１６とを連絡した形態とし、背面プレート４の下部を前方に直角に折り曲げて底部プレート５に替わる部分を形成し、該折り曲げた下部が底プレート差込孔１５に差し込まれ且つ垂直部位が背面プレート差込孔１６に差し込まれる形態とし、棚式プランター用支柱２０、２０、２０の背面からボルトあるいはタッピングビス（タッピングボルト含む）からなる固定部材２１によって背面プレート４を棚式プランター用支柱２０、２０、２０に固定し、ねじ棒通し孔１７ａ、１７ｂを設けない構成とした棚式プランター２２を形成した点にある。
【産業上の利用可能性】
【００１５】
本発明は緑化産業で利用される。
【符号の説明】
【００１６】
１：棚式プランター、
２：棚式プランター用支柱、
３：仕切り板、
４：背面プレート、
５：底部プレート、
６：ねじ棒、
７：ナット、
１０：支柱本体、
１１ａ〜１１ｅ：部材嵌め込み溝、
１２：足部、
１３：棒部材、
１４ａ〜１４ｃ：棒部材通し部、
１５：底プレート差込孔、
１６：背面プレート差込孔、
１７ａ、１７ｂ：ねじ棒通し孔、
１８：縦プレート部位、
１９ａ〜１９ｍ：リブ、
２０：棚式プランター用支柱、
２１：固定部材、
２２：棚式プランター。
【図１】
2011097906.tif 000003
【図２】
2011097906.tif 000004
【図３】
2011097906.tif 000005
【図４】
2011097906.tif 000006
【図５】
2011097906.tif 000007
【図６】
2011097906.tif 000008